(57)【要約】【課題】  本発明は簡便な装置で，効果的に薬剤を投与できる薬剤放出装置を提供することを目的とする。【解決手段】  本発明の薬剤放出装置１は，先端部にくぼみ部を有するアンプル本体２と，アンプル本体２内に設置された可動栓３と，アンプル本体２のくぼみ部にはまり，アンプル本体２を密封できる密封蓋４とを有する。そして，アンプル本体２のくぼみ部は，密封蓋４がアンプル本体２を密封する位置から，アンプル本体２内部方向に移動することができ，密封蓋４がアンプル本体２の内部方向に移動した場合に，密封蓋４とアンプル本体２との間に隙間が形成され，隙間から薬剤を放出できる形状である。【選択図】図１
2011101774.tif 000002
【特許請求の範囲】
【請求項１】
先端部にくぼみ部を有するアンプル本体（２）と，
前記アンプル本体（２）内に設置された可動栓（３）と，
前記アンプル本体（２）のくぼみ部にはまり，前記アンプル本体（２）を密封できる密封蓋（４）と，
を有し，
前記アンプル本体（２）のくぼみ部は，
前記密封蓋（４）が，前記アンプル本体（２）を密封することができる形状のくぼみ部であって，前記密封蓋（４）が前記アンプル本体（２）を密封する位置から，アンプル本体（２）内部方向に移動することができ，前記密封蓋（４）がアンプル本体（２）の内部方向に移動した場合に，前記密封蓋（４）と前記アンプル本体（２）との間に隙間が形成され，前記隙間から薬剤を放出できる形状のくぼみ部であり，
これにより，
前記密封蓋（４）が，前記アンプル本体（２）を密封する位置に存在するときは，前記アンプル本体（２）内に収容された薬剤を密封でき，
前記密封蓋（４）がアンプル本体（２）の内部方向に移動した状態で，前記可動栓（３）が移動すると，前記密封蓋（４）と前記アンプル本体（２）との間の隙間から，薬剤が放出される，
薬剤放出装置。
【請求項２】
前記アンプル本体（２）には薬剤が収容され，
前記アンプル本体（２），前記可動栓（３），及び密封蓋（４）が，薬剤を収容したアンプル容器として機能する，
請求項１に記載の薬剤放出装置。
【請求項３】
前記アンプル本体（２）は，
前記アンプル本体（２）のくぼみ部（１１）が，
第１の輪状溝部（１２）と，
前記第１の輪状溝部（１２）と同心円状の溝部であって，前記第１の輪状溝部（１２）よりアンプル本体（２）の内部方向に位置する第２の輪状溝部（１３）とを含み，
薬剤を収容する薬剤収容部（１４）を含み，
前記薬剤収容部（１４）と前記くぼみ部（１１）とを，前記薬剤収容部（１４）内に収容された薬剤が前記くぼみ部（１１）へ移動可能なように接続する接続部（１５）とを有し，
前記接続部（１５）は,側面に開口部（１６）を有し，頭部（１７）が密閉された形状であり，
前記密封蓋（４）は，
前記密封蓋（４）の側面に設けられた輪状突起（２１）と，
前記密封蓋（４）の内部に設けられ，薬剤を通すための流路（２２）と，
前記流路（２２）と接続され，薬剤を放出するための開口部（２３）と，
を有し，
前記密封蓋（４）の輪状突起（２１）が，前記第１の輪状溝部（１２）に位置するときは，
前記接続部（１５）の頭部（１７）が，前記密封蓋（４）内の流路（２２）にはまり，これにより，前記流路（２２）が閉ざされて，前記アンプル本体（２）内に収容された薬剤が密封され，
前記密封蓋（４）の輪状突起（２１）が，前記第２の輪状溝部（１３）に位置するときは，
前記接続部（１５）の開口部（１６）と，前記密封蓋（４）内の流路（２２）とが薬剤の移動ができるように接続され，前記開口部（１６）が隙間として機能し，前記可動栓（３）が移動すると，前記密封蓋（４）と前記アンプル本体（２）との間の隙間から，薬剤が放出される，
請求項１に記載の薬剤放出装置。
【請求項４】
前記可動栓（３）を移動させるための押出部（５）をさらに含む，
請求項１に記載の薬剤放出装置。
【請求項５】
前記可動栓（３）を移動させるための押出部（５）をさらに含み，
前記押出部（５）は，
前記可動栓（３）と接触し，前記可動栓（３）を移動させるためのピストン部（４１）と，
前記ピストン部（４１）に接続され，前記ピストン部（４１）を押出するためのばねを有するばね部（５１）と，
を有する，
請求項１に記載の薬剤放出装置。
【請求項６】
前記アンプル本体（２）の先端部に装着されるカバー部（６）であって，
前記カバー部（６）が前記アンプル本体（２）の先端部に装着されると，
前記密封蓋（４）を前記カバー部（６）の内部に収容でき，
これにより，前記カバー部（６）が前記アンプル本体（２）の先端部に装着された際には，前記密封蓋（４）が，前記アンプル本体（２）を密封する位置から移動する事態を防止できる，
請求項１に記載の薬剤放出装置。
【請求項７】
粘膜投与装置である，請求項１に記載の薬剤放出装置。
【請求項８】
経鼻投与装置である，請求項１に記載の薬剤放出装置。
【請求項９】
前記薬剤が液状の薬剤である，請求項１に記載の薬剤放出装置。
【請求項１０】
前記薬剤が粉末状の薬剤である，請求項１に記載の薬剤放出装置。
【請求項１１】
前記薬剤がワクチンである，請求項１に記載の薬剤放出装置。
【請求項１２】
前記薬剤が制吐剤である，請求項１に記載の薬剤放出装置。
【発明の詳細な説明】
【技術分野】
【０００１】
本発明は，噴霧機能を有するアンプル型デバイスに関する。
【背景技術】
【０００２】
特開２００１−１３７３４４号公報には，内部バルブを有する経鼻投与装置が開示されている。この装置は,薬やワクチンを鼻腔に送るための装置である。
【０００３】
この装置は，圧力をかけられた液状物質のみが管路と開口とを通って流れることを許容する内部バルブが必要である。このため，装置が複雑となり，高価である。
【０００４】
国際公開ＷＯ２００５−３５０３４号パンフレットには，鼻腔用粉状薬剤施薬装置が開示されている。この装置は，カプセルに収容された粉末を粘膜投与するためのものである。
【０００５】
この装置で投与できる薬剤はカプセル内に収容された粉末に限られるため，一度に投与できる薬剤の量に限界がある。
【先行技術文献】
【特許文献】
【０００６】
【特許文献１】特開２００１−１３７３４４号公報
【特許文献２】国際公開ＷＯ２００５−３５０３４号パンフレット
【発明の概要】
【発明が解決しようとする課題】
【０００７】
本発明は，簡便な装置で，効果的に薬剤を投与できる噴霧機能を有するアンプル型デバイスを提供することを目的とする。
【課題を解決するための手段】
【０００８】
本発明は，噴霧機能を有するアンプル型デバイスとして機能しうる薬剤放出装置に関する。本発明の薬剤放出装置は，先端部にくぼみ部を有するアンプル本体２と，アンプル本体２内に設置された可動栓３と，アンプル本体２のくぼみ部にはまり，アンプル本体２を密封できる密封蓋４とを有する。アンプル本体２のくぼみ部は，密封蓋４が，アンプル本体２を密封することができる形状のくぼみ部である。そして，アンプル本体２のくぼみ部は，密封蓋４がアンプル本体２を密封する位置から，アンプル本体２内部方向に移動することができ，密封蓋４がアンプル本体２の内部方向に移動した場合に，密封蓋４とアンプル本体２との間に隙間が形成され，隙間から薬剤を放出できる形状のくぼみ部である。
【０００９】
このような構成を有するので，本発明の薬剤放出装置は，密封蓋４が，アンプル本体２を密封する位置に存在するときは，アンプル本体２内に収容された薬剤を密封できる。また，本発明の薬剤放出装置は，密封蓋４がアンプル本体２の内部方向に移動した状態で，可動栓３が移動すると，密封蓋４とアンプル本体２との間の隙間から，薬剤が放出される。
【００１０】
本発明の薬剤放出装置の好ましい態様は，アンプル本体２には薬剤が収容され，アンプル本体２，可動栓３，及び密封蓋４が，薬剤を収容したアンプル容器として機能する。
【００１１】
本発明の薬剤放出装置の好ましい態様は，アンプル本体２は，アンプル本体２のくぼみ部１１が，第１の輪状溝部１２と，第１の輪状溝部１２と同心円状の溝部であって，第１の輪状溝部１２よりアンプル本体２の内部方向に位置する第２の輪状溝部１３とを含み，薬剤を収容する薬剤収容部１４を含む。そして，アンプル本体２は，薬剤収容部１４とくぼみ部１１とを，薬剤収容部１４内に収容された薬剤がくぼみ部１１へ移動可能なように接続する接続部１５とを有する。接続部１５は,側面に開口部１６を有し，頭部１７が密閉された形状である。そして，密封蓋４は，密封蓋４の側面に設けられた輪状突起２１と，密封蓋４の内部に設けられ，薬剤を通すための流路２２と，流路２２と接続され，薬剤を放出するための開口部２３とを有する。
【００１２】
このような構成を有するので，この薬剤放出装置は，密封蓋４の輪状突起２１が，第１の輪状溝部１２に位置するときは，接続部１５の頭部１７が，密封蓋４内の流路２２にはまり，これにより，流路２２が閉ざされて，アンプル本体２内に収容された薬剤が密封される。そして，密封蓋４の輪状突起２１が，第２の輪状溝部１３に位置するときは，接続部１５の開口部１６と，密封蓋４内の流路２２とが薬剤の移動ができるように接続され，開口部１６が隙間として機能し，可動栓３が移動すると，密封蓋４とアンプル本体２との間の隙間から，薬剤が放出される。
【００１３】
本発明の薬剤放出装置の好ましい態様は，可動栓３を移動させるための押出部５をさらに含む。押出部５は，可動栓３と接触し，可動栓３を移動させるためのピストン部４１と，ピストン部４１に接続され，ピストン部４１がまっすぐに押し込まれ，またピストン部４１が誤って押し込まれることを防止するためのばね部５１と，を有するものがあげられる。
【００１４】
本発明の薬剤放出装置の好ましい態様は，アンプル本体２の先端部に装着されるカバー部６であって，カバー部６がアンプル本体２の先端部に装着されると，密封蓋４をカバー部６の内部に収容できるものがあげられる。このような構成を有するので，本発明の薬剤放出装置は，カバー部６がアンプル本体２の先端部に装着された際には，密封蓋４が，アンプル本体２を密封する位置から移動する事態を防止できる。
【００１５】
本発明の薬剤放出装置の好ましい態様は，薬剤放出装置が粘膜投与装置として機能するものである。
【００１６】
本発明の薬剤放出装置の好ましい態様は，薬剤放出装置が経鼻投与装置として機能するものである。
【００１７】
本発明の薬剤放出装置の好ましい態様は，液状の薬剤に用いるものである。
【００１８】
本発明の薬剤放出装置の好ましい態様は，粉末状の薬剤に用いるものである。
【００１９】
本発明の薬剤放出装置の好ましい態様は，ワクチンの投与に用いるものである。
【００２０】
本発明の薬剤放出装置の好ましい態様は，制吐剤の投与に用いるものである。
【発明の効果】
【００２１】
本発明によれば簡便な装置で，効果的に薬剤を投与できる噴霧機能を有するアンプル型デバイスとして機能する薬剤放出装置を提供できる。
【図面の簡単な説明】
【００２２】
【図１】図１は，本発明の薬剤放出装置の概略図である。
【図２】図２は，本発明のアンプル本体の概略図である。図２（ａ）は，アンプル本体の正面図を示す。図２（ｂ）は，図２（ａ）の部分拡大図を示す。図２（ｃ）は，図２（ｂ）のＡ−Ａ断面図を示す。図２（ｄ）は，アンプル本体の上面図を示す。
【図３】図３は，本発明の密封蓋の概略図である。図３（ａ）は，密封蓋の正面図を示す。図３（ｂ）は，密封蓋の上面図を示す。図３（ｃ）は図３（ｂ）のＢ−Ｂ断面図を示す。図３（ｄ）は，図３（ａ）のＡ−Ａ断面図を示す。
【図４】図４は，ピストンの概略図である。図４（ａ）は正面図を示す。図４（ｂ）は上面図を示す。
【図５】図５は，ばね部の概略図である。図５（ａ）は，ばね部の正面図である。図５（ｂ）はばね部の側面図である。図５（ｃ）はばね部の上面図である。
【図６】図６は，カバー部の概略図である。図６（ａ）は，カバー部の正面図である。図６（ｂ）はカバー部の上面図である。図６（ｃ）はＡ−Ａ断面図である。図６（ｄ）はＢ−Ｂ断面図である。
【図７】図７は，本発明の薬剤放出装置の使用状態を説明するための図である。図７（ａ）は，本発明の薬剤放出装置をパーツに分けた際の様子を示す図である。図７（ｂ）は，キャップ部を取り除いた際の様子を示す図である。図７（ｃ）は，密封蓋を押し入れた際の様子を示す図である。図７（ｄ）は，薬剤を放出した際の様子を示す図である。
【図８】図８は，本発明の上記とは別の態様を説明するための図である。図８（ａ）は，本発明の薬剤放出装置をパーツに分けた際の様子を示す図である。図８（ｂ）は，キャップ部を取り除いた際の様子を示す図である。図８（ｃ）は，密封蓋を押し入れた際の様子を示す図である。図８（ｄ）は，薬剤を放出した際の様子を示す図である。
【図９】図９は，本発明の上記とは別の態様を説明するための図である。図９（ａ）は，本発明の薬剤放出装置をパーツに分けた際の様子を示す図である。図９（ｂ）は，キャップ部を取り除いた際の様子を示す図である。図９（ｃ）は，密封蓋を押し入れた際の様子を示す図である。図９（ｄ）は，薬剤を放出した際の様子を示す図である。
【発明を実施するための形態】
【００２３】
以下，本発明を実施するための形態について説明する。以下の説明する薬剤放出装置は例であって，本発明の薬剤放出装置及び薬剤放出方法は，以下の例に限定されるものではなく，本明細書から当業者にとって自明な範囲で修正したものも全て含む。
【００２４】
図１は，本発明の薬剤放出装置の概略図である。図１に示されるように，本発明の薬剤放出装置１は，先端部にくぼみ部を有するアンプル本体２と，アンプル本体２内に設置された可動栓３と，アンプル本体２のくぼみ部にはまり，アンプル本体２を密封できる密封蓋４とを有する。図１に示されるように，本発明の薬剤放出装置１は，可動栓３を移動させるための押出部５を含んでもよい。また，本発明の薬剤放出装置１は，アンプル本体２の先端部に装着されるカバー部６をさらに含んでも良い。
【００２５】
アンプル本体２のくぼみ部は，密封蓋４が，アンプル本体２を密封することができる形状のくぼみ部である。そして，アンプル本体２のくぼみ部は，密封蓋４がアンプル本体２を密封する位置から，アンプル本体２内部方向に移動することができ，密封蓋４がアンプル本体２の内部方向に移動した場合に，密封蓋４とアンプル本体２との間に隙間が形成され，隙間から薬剤を放出できる形状のくぼみ部である。
【００２６】
このような構成を有するので，本発明の薬剤放出装置は，密封蓋４が，アンプル本体２を密封する位置に存在するときは，アンプル本体２内に収容された薬剤を密封できる。また，本発明の薬剤放出装置は，密封蓋４がアンプル本体２の内部方向に移動した状態で，可動栓３が移動すると，密封蓋４とアンプル本体２との間の隙間から，薬剤が放出される。
【００２７】
アンプル本体２には薬剤が収容された際，アンプル本体２，可動栓３及び密封蓋４は密閉系を構成する。このため，アンプル本体２，可動栓３及び密封蓋４は，薬剤を収容したアンプル容器として機能する。
【００２８】
図２は，本発明のアンプル本体の概略図である。図２（ａ）は，アンプル本体の正面図を示す。図２（ｂ）は，図２（ａ）の部分拡大図を示す。図２（ｃ）は，図２（ｂ）のＡ−Ａ断面図を示す。図２（ｄ）は，アンプル本体の上面図を示す。図２（ｃ）に示されるように，アンプル本体２は，その先端部にくぼみ部１１を有する。アンプル本体２の先端部は薬剤が放出される方の端部を意味する。そして，アンプル本体２は，第１の輪状溝部１２と，第２の輪状溝部１３とを有する。第１の輪状溝部１２と第２の輪状溝部１３とは，アンプル本体２のくぼみ部１１に設けられる。第２の輪状溝部１３は，第１の輪状溝部１２と同心円状の溝部であって，第１の輪状溝部１２よりアンプル本体２の内部方向に位置する。第１の輪状溝部１２と第２の輪状溝部１３とは同一の形状をした溝であってもよい。第１の輪状溝部１２と第２の輪状溝部１３を構成する輪の半径は，たとえば，０．５ｍｍ以上２ｃｍがあげられ，０．７５ｍｍ以上５ｍｍ以下でもよく，１ｍｍ以上２ｍｍ以下でも良い。
【００２９】
アンプル本体は，薬剤を収容する薬剤収容部１４を含む。そして，アンプル本体２は，薬剤収容部１４とくぼみ部１１とを，薬剤収容部１４内に収容された薬剤がくぼみ部１１へ移動可能なように接続する接続部１５とを有する。接続部１５は,側面に開口部１６を有し，頭部１７が密閉された形状である。接続部１５の全体的な形状の例は，開口部を有する円筒状の形状である。円筒の高さの例は，０．５ｍｍ以上５ｍｍ以下であり，１ｍｍ以上２ｍｍ以下でもよい。頭部１７の形状は，円状があげられる。頭部１７が円状の場合，円の半径として，０．３ｍｍ以上２ｍｍ以下があげられ，０．５ｍｍ以上１ｍｍ以下でも良い。開口部の例は，円筒の側面に１箇所又は２箇所設けられるものである。開口部の形状の例は，丸型，四角型，及び多角形型である。接続部１５が円筒状の場合，円筒の側面のある領域について壁が存在せず，その壁が存在しない領域が開口部として機能しても良い。
【００３０】
図３は，本発明の密封蓋の概略図である。図３（ａ）は，密封蓋の正面図を示す。図３（ｂ）は，密封蓋の上面図を示す。図３（ｃ）は図３（ｂ）のＢ−Ｂ断面図を示す。図３（ｄ）は，図３（ａ）のＡ−Ａ断面図を示す。図３（ｃ）に示されるように，密封蓋４の例は，輪状突起２１と，薬剤を通すための流路２２と，開口部２３とを有するものである。
図３（ｃ）に示されるように，輪状突起２１は，例えば，側面下部に設けられる。この輪状突起２１は，第１の輪状溝部１２及び第２の輪状溝部１３にはまる形状である。流路２２は，密封蓋内部に設けられ，薬剤を通すためのものである。流路２２内の薬剤は，流路２２の天井２４により，開口部２３へ進められ，開口部２３から放出される。図３（ｃ）に示されるように，天井２４は，逆円錐状の形状であるものが好ましい。このような形状を有するため，流路２２内の薬剤が効率的に開口部２３へ進む。図３（ｂ）に示される例では，開口部２３が１２０°ごとに３つ設けられている。開口部２３は，１つでもよく，複数であっても良い。
【００３１】
この薬剤放出装置は，密封蓋４の輪状突起２１が，第１の輪状溝部１２に位置するときは，接続部１５の頭部１７が，密封蓋４内の流路２２にはまり，これにより，流路２２が閉ざされて，アンプル本体２内に収容された薬剤が密封される。そして，密封蓋４の輪状突起２１が，第２の輪状溝部１３に位置するときは，接続部１５の開口部１６と，密封蓋４内の流路２２とが薬剤の移動ができるように接続され，開口部１６が隙間として機能し，可動栓３が移動すると，密封蓋４とアンプル本体２との間の隙間から，薬剤が放出される。
【００３２】
本発明の薬剤放出装置の好ましい態様は，可動栓３を移動させるための押出部５をさらに含む。押出部５は，可動栓３と接触し，可動栓３を移動させるためのピストン部４１と，ピストン部４１に接続され，ピストン部４１がまっすぐに押し込まれ，またピストン部４１が誤って押し込まれることを防止するためのばね部５１と，を有するものがあげられる。図４及び図５の構成を有するものは押出部５の一例である。押出部５のほかの例は，ばね部が無いもの，空気圧により可動栓３を押し出すもの，及びばねの復元力を用いて可動栓３を押し出すものである。
【００３３】
図４は，ピストンの概略図である。図４（ａ）は正面図を示す。図４（ｂ）は上面図を示す。図４に示されるように，ピストンは，支柱４１と支柱４１と接続されたピストン台４２とを有する。ピストン台４２には，ばね部を固定するための固定穴４３が設けられている。支柱４１の先端は，可動栓３と接触する。そして，支柱４１が移動すると，可動栓３も移動する。
【００３４】
図５は，ばね部の概略図である。図５（ａ）は，ばね部の正面図である。図５（ｂ）はばね部の側面図である。図５（ｃ）はばね部の上面図である。ばね部５１は，その内部に支柱４１を収容するベース部５２を有する。ベース部５２は，ばね５３と接続されている。そして，ばね５３は，台部５４と接続される。すなわち，ベース部５２と台部５４とはばね５３を介して接続される。台部５４には，固定穴４３にばね部５１を固定するための突起５５が設けられている。そして，突起５５が固定穴４３に収容されることで，ばね部５１とピストンとが一体化する。図中符号５６は，ベース部５２に取り付けられたウイング部５６である。
【００３５】
図６は，カバー部の概略図である。図６（ａ）は，カバー部の正面図である。図６（ｂ）はカバー部の上面図である。図６（ｃ）はＡ−Ａ断面図である。図６（ｄ）はＢ−Ｂ断面図である。カバー部６は，アンプル本体２の先端部に装着される。カバー部６がアンプル本体２の先端部に装着されると，密封蓋４をカバー部６の内部に収容できる。カバー部６には，密封蓋４を装着したアンプル本体２を収容するための空間が存在する。また，カバー部６には，密封蓋４を装着したアンプル本体２を固定するための固定部が存在する。このような構成を有するので，本発明の薬剤放出装置は，カバー部６がアンプル本体２の先端部に装着された際には，密封蓋４が，アンプル本体２を密封する位置から移動する事態を防止できる。また，カバー部６を利用することで，アンプル本体２を設置することができる。また，カバー部６は，アンプル本体２を収容する孔を有するカバー部６であってもよい。このカバー部６は，押出部５と結合し，アンプルを固定する。この場合，押出部５にはカバー部６を固定するためのカバー固定部が設けられる。図６に示されたカバー部６は，カバー部６の例であって，その形状は適宜修正することができる。カバー部６は，任意の要素である。すなわち，本発明の薬剤放出装置において，カバー部６は，必須の要素ではない。
【００３６】
本発明の薬剤放出装置は，粘膜投与装置，特に経鼻投与装置として機能するものが好ましい。本発明の薬剤放出装置は，液状の薬剤に用いることもでき，粉末状の薬剤に用いることもできる。本発明の薬剤放出装置の好ましい利用態様は，ワクチンや制吐剤の投与に用いるものである。
【００３７】
次に，本発明の薬剤放出装置の使用方法を説明する。すなわち，本発明は，上記した薬剤放出装置を用いた薬剤放出方法や，薬剤投与方法をも含む。図７は，本発明の薬剤放出装置の使用状態を説明するための図である。図７（ａ）は，本発明の薬剤放出装置をパーツに分けた際の様子を示す図である。図７（ｂ）は，キャップ部を取り除いた際の様子を示す図である。図７（ｃ）は，密封蓋を押し入れた際の様子を示す図である。図７（ｄ）は，薬剤を放出した際の様子を示す図である。
【００３８】
先に説明したとおり，アンプル本体２，可動栓３及び密封蓋４は，薬剤を収容したアンプル容器として機能する。密封蓋４がアンプル本体２側に押し込まれないように，キャップ部６が取り付けられた状態で薬剤が保存される。この際キャップ部６の上部が平坦なので，キャップ部６上部を下向きにして，複数のアンプルを整列させることができる。このようにして，アンプルの密封度を点検できる。
【００３９】
本発明の薬剤放出装置は，たとえば，樹脂又はガラスを用いて製造できる。また，たとえば，アンプル本体２をガラスで製造し，それ以外の部分を樹脂で製造しても良い。また，ばねを金属やセラミックスにより製造しても良い。形状の設計が終わった後は，各種金型や鋳型を用いて各要素を製造することにより，本発明の薬剤放出装置を得ることができる。すなわち，既に知られた注射器やアンプルの製造方法を適宜修正することで，本発明の薬剤放出装置を製造できる。
【００４０】
本発明の薬剤放出装置を使用する際に，キャップ部６をアンプル本体２方向へ押入れ，押出部５に取り付ける（図７（ｂ））。このようにして，キャップ部６と押出部５とを解してアンプル本体２が固定される。次に，図７（ｃ）の矢印の方向に力を加える。すると，密封蓋がアンプル本体２方向へ押し入れられる。すると，薬剤収容部１４の密封状態が破られ，薬剤が外部に放出されうる状態となる。この状態で，図７（ｄ）の矢印の方向に力を加える。この際，たとえば，中指と人差し指とをウイングに置き，親指をピストン台４２に置く。そして，ピストン台４２を押すように親指に力を与えることで，可動栓３に勢いが与えられる。すると，可動栓３が移動する。可動栓３が移動すると，薬剤収容部１４に収容された薬剤が，密封蓋の開口部から放出される。このようにして，薬剤が薬剤放出装置から放出される。薬剤が薬剤放出装置から放出される際，噴霧されるようにしてもよい。
【００４１】
図８は，本発明の上記とは別の態様を説明するための図である。図８に示されるものは，バネの力ではなく，指の力でピストン台を押し，可動栓３を移動させるものである。
【００４２】
図９は，本発明の上記とは別の態様を説明するための図である。図９に示されるものは，バネの力により，可動栓３が勢いよく移動する事態を防止できるものである。これにより，適切な量の薬剤を投与できる。
【産業上の利用可能性】
【００４３】
本発明は医療機器の分野で好適に利用されうる。
【符号の説明】
【００４４】
１  薬剤放出装置
２  アンプル本体
３  可動栓
４  密封蓋
５  押出部
６  カバー部
【図１】
2011101774.tif 000003
【図２】
2011101774.tif 000004
【図３】
2011101774.tif 000005
【図４】
2011101774.tif 000006
【図５】
2011101774.tif 000007
【図６】
2011101774.tif 000008
【図７】
2011101774.tif 000009
【図８】
2011101774.tif 000010
【図９】
2011101774.tif 000011